(57)【要約】      （修正有）【課題】海の潮流を利用した発電は極めて少なく、当発明の抗力型については見当らない。【解決手段】海での海流及び干潮満潮で現れる潮流は、場所によって激流や急流の巨大エネルギー場を形成する。又河川特に大河の急流など巨大エネルギーが常時ムダに捨てられている現状がある。今まで巨大エネルギーを得るにはダム工事などの大工事によらなければならなかったが、この発明は、自然に存在する巨大エネルギー場に装置をほとんど放り込むだけで巨大エネルギーを捕獲して発電可能としたことである。海での浮体式は翼長１００ｍの翼を周囲に数十列有する円筒形状密閉回転体を用いて発電を行う巨大容量発電装置であり、又河川ではほとんど設置するだけで２４時間発電するため、いずれも格安大量発電が可能となる。回転体の手前に特殊な形状の水流エネルギー集約指向化装置を持つことにより、自然に存在するエネルギーを取り込めるようにした。【選択図】図１−１
2015034553.tif 000002
【特許請求の範囲】
【請求項１】
表面に水力捕獲器を多数有する円筒形密閉中空回転体で発電する際に図２−１）に示すように東側へ大きく張出したわん曲した集水指向化装置Ｒにより、本来水流の負の効果を受ける側の流れを逆転し、正の効果に流れを変える。又それによって大量の水量が回転方向（中央から西側）へ移動するが、中央の水流とぶつかって乱流状態となるのを防ぐため中央の流れをさえぎりながら回転力を確保するため遮壁Ｑと水道Ｐを設ける。Ｑは円筒形との間に「狭い但しスムーズな流れを形成するために充分な広さを持った水道Ｐ」を形成することにより中央部分での大きな回転力を得る。Ｒ、Ｐ、Ｑ一体となって水流の中に装置を入れるだけで大きな回転力を生み出すこと。
【請求項２】
干潮満潮で潮流の向きが変わる場所での相方向型水流集約指向化装置（図２−２）
【請求項３】
流速が１．５ｍ／ｓ位の場所では負の効果を軽減するため、回転力を生み出さない側の翼を空中へ出すように、中心軸を約３０°傾けさせて、有効に発電を行うこと。
【発明の詳細な説明】
【技術分野】  本発明は、海又は川に設置するだけで発電可能な水力発電装置に関するものである。
【背景技術】  河川の場合はダム等の大工事によらなければ大型の水力発電は無理であった。又海の潮流を利用した発電は極めて少なくプロペラ型の小〜中型が少し動いているだけで潮流の巨大なエネルギーを取り込んで大容量発電を行う技術は確立されていない。
【先行技術文献】
当発明の抗力型については見当らない。
【発明の概要】
【発明が解決しようとする課題】  解決しようする課題は▲１▼  海の海流及び干潮満潮で生ずる潮流の巨大なエネルギーを取り込んで、大容量発電を可能とすること。（図３−１の▲３▼）▲２▼  河川の水流のエネルギーをダム工事などによらず、川に浮かべて岸とロープで繋ぎ、ほとんど装置を放り込むだけで大きな発電が可能な装置を開発し、現在河川で常時巨大なエネルギーを捨ててしまっている現状を改め、河川の持つ巨大なエネルギーを利用して２４時間発電可能な装置を開発すること。
【課題を解決するための手段】▲１▼  図３−１）の▲１▼、▲２▼に示すように水流の中に、「発電機のかわりの負荷」をかけた水車を放り込むだけでは回転しないし、従って発電も出来ない。▲２▼  水流に逆らって回転しなければならない側（図３−１の▲２▼黒色）の翼にかかる負の効果を大幅に軽減できなければ、発電能力のある回転力で水車を回すことが出来ないため、負の効果を正の効果に逆転させるわん曲した大きな壁を設け水流を逆転させると回転をはじめた。（図３−１の▲４▼）▲３▼  次にこの集水壁を多数持つ無指向性の集水装置を作り大量の水を取込んで大きな回転力を得ようとしたが、水のはけ口が集中しすぎるために乱流状態となり集水装置の入口でも外側へはじかれることがわかった。（図３−１の▲５▼）▲４▼  そのため円筒形回転体と回転体につけた水力捕獲器（翼）に水流がスムーズな流れで当たり、大きな回転力を得られるようにするために。  ▲イ▼  水の取入口は３方に限る。（Ａ１、Ａ２、Ａ３）  ▲ロ▼  東側の負の効果しか生み出されない水流から正の効果を生み出すためには、東側に大きく張り出した「わん曲した壁Ｒを作る必要があるが、この壁によって大量の水量と水力を捕獲できるが、これにより水のはけ口が中央に集中するため「中央の水流は遮断する構造のＱを設け」ＱとＲで大量の水を捕獲しつつ、かつ「中央部分の翼はＱと円筒形で作られた狭い水道Ｐを通る速い水流によって回す」ようにする。  Ｑは遮断の機能だけでなく、中央の水流を左右に振り分けて左右の水量を増やす集水の役割も果たす。  ▲ハ▼  水流のはけ口が十分広く、スムーズな流れになるよう、Ａ１（Ｐの出口）、Ａ２、Ａ３の合流点は広くし水が流れやすくする。（図２−１）  ▲ニ▼  特にＡ１は大量の水流を捕獲し乱流やうず流を伴う急流になるため、その負の効果を軽減する水洞の形状とする。  ▲２▼、▲４▼、▲イ▼、▲ロ▼、▲ハ▼、▲ニ▼により翼長１００ｍでも大きな回転力を得て、大容量発電が可能となる。  なお、Ａ４は下流からも少し回転力を得られるようにするための集水装置である。又図２−２）に干潮満潮で水流の方向が逆転する場所に潮の流れが変わっても装置を動かさず発電できるよう、相方向の集水装置を示してある。流速は２ｍ／ｓ以上が望ましいが、アマゾン川やミシシッピ川などの流速１ｍ〜１．５ｍの比較的遅い流れの場所も多い大河でも大きな発電力を得るために中心軸を約３０°傾け回転に帰与しない側の翼を空中に出して発電する方法も図６−１）に示した。
【発明の効果】  本発明の水力発電装置はダムなどの大工事なしで、自然に存在する河川や海の水流にほとんど放り込むだけで発電を可能にしたことで、簡単な工事を施せば、装置の団地を作り巨大発電も実現できることである。（図５−１）  現在プロペラ式や水車型の小型が運用されているが発電能力は小さく、この発明によって翼長や回転半径を大きくすることにより大容量発電が可能となった。  しかもプロペラ式や水車型に比べ集水機構により取込むエネルギー量が数倍から数百倍になり、大容量発電が可能となった。  海での翼長は、潮流が１５０ｍの深さ位までの上層を流れているため１００ｍ位まで長くすることが可能で、今まで存在しなかった自然エネルギー大容量発電が可能となった。又ナセルが水面より上にあるので河川では堤防に渡した簡易橋上にナセルを設置し、一大団地を作ることにより巨大発電が可能。（図５−１）ナセルが水面より上にあるため海での浮体式では塩の腐食などから中枢部分を守り易く、電気の取出しも簡単なことから、ナセルが海中にあるプロペラ式と比べ建設コスト、発電コストは大幅にダウンする。
【発明を実施するための形態】
日本の豊後水道は大潮時秒速３ｍにも達し広大な潮流を形成する。又五島列島中通島の北側は２４時間海流の速い流れが広範囲に流れており、日本は島国のため全国至る所にそのような巨大エネルギー場が存在する。世界を見渡しても長江、レナ川、ユーコン川、アマゾン川など急流で水量も豊富な場所を有している巨大エネルギー場は無数にある。  今までこれらの巨大エネルギー場が放置されてきたのは巨大エネルギーを取込めるだけの装置、巨大エネルギーを扱うのにふさわしい装置がなかったためであり、この発明を用いれば原発や化石燃料に頼らなくても発電が可能となることを示している。  従って国益に大きく関係することから国家レベルの検証と実施が適切と考えられる。
【実施例】  小さな河川で１．５ｍ／ｓの速い流れの中に図７−１）に示すように装置を入れ、１０ｋｇｗ・ｍで回るようにブレーキをかけた状態で実験し低速回転を実現。
【産業上の利用可能性】  発電コストが格安になるため、機器の大量生産が行われる。又離島の海流や原野の河川での発電が大量におこなわれるようになることから送電の問題が発生するが、あえて送電する必要はなく、格安で大量に電力が得られることから、現地で水を電気分解し、Ｈ２又はギ酸（Ｈ２＋ＣＯ２→ＨＣＯＯＨ）（液体）を量産し、Ｈ２やギ酸を用いた燃料電池や電気自動車に利用する産業が本格化する。
【図面の簡単な説明】
【図１−１】全体概要図  主として海での浮体式（深い河川でも可）の垂直方向の断面の機能概要が解るように書いた図。（断面機能概略図）
【図１−２】全体概要図  主として河川での設置式の断面の機能概要図。
【図２−１】水平方向断面概要図
【図２−２】相方向性の集水装置の水平方向断面図
【図３】発想図解  集水装置Ａ１、Ａ２、Ａ３、集水装置Ｒ、遮水集水装置Ｑ及び水道Ｐの機能概要図
【図４−１】翼断面図
【図５−１】河川での団地による巨大発電
【図６−１】大河の緩やかな流れ（１．０ｍ／ｓ〜１．５ｍ／ｓ）での発電。
【図７−１】実施例
【図１−１】
2015034553.tif 000003
【図１−２】
2015034553.tif 000004
【図２−１】
2015034553.tif 000005
【図２−２】
2015034553.tif 000006
【図３−１】
2015034553.tif 000007
【図３−２】
2015034553.tif 000008
【図３−３】
2015034553.tif 000009
【図４−１】
2015034553.tif 000010
【図５−１】
2015034553.tif 000011
【図６−１】
2015034553.tif 000012
【図７−１】
2015034553.tif 000013